(57)【特許請求の範囲】
【請求項１】
リレースイッチ（ＳＷ）が介在される一対のスイッチ接続用回路体とリレーコイルが介在される一対のコイル接続用回路体とを有するリレーを複数設け、この複数のリレーを構成する前記各スイッチ接続用回路体及び前記各コイル接続用回路体の間を切断可能なジョイント部を介してそれぞれ電気的に接続し、この複数のジョイント部の適所を適宜カットして目的の搭載回路を構成したことを特徴とするリレーユニット。
【請求項２】
請求項１に記載のリレーユニットであって、
複数の前記ジョイント部は、同一の前記リレー内では一方の前記スイッチ接続用回路体と一方の前記コイル接続用回路体との間に介在され、異なる前記リレー間では隣り合う前記リレーの一対の前記スイッチ接続用回路体と一方の前記スイッチ接続用回路体との間にそれぞれ介在されたことを特徴とするリレーユニット。
【請求項３】
請求項１又は請求項２に記載のリレーユニットであって、
前記スイッチ接続用回路体及び前記コイル接続用回路体は、バスバーで構成されたスイッチ接続用バスバー及びコイル接続用バスバーであることを特徴とするリレーユニット。
【請求項４】
請求項３に記載のリレーユニットであって、
前記各スイッチ接続用バスバー及び前記各コイル接続用バスバーには、前記各バスバの一部でコネクタ接続用のリレー端子が形成されていることを特徴とするリレーユニット。
【請求項５】
請求項１〜請求項４に記載のリレーユニットを搭載したことを特徴とする電気接続箱。
【請求項６】
請求項１〜請求項４に記載のリレーユニットのリレーであって、
前記一対のスイッチ接続用回路体の一方にヒューズ接続部を一体に形成し、このヒューズ接続部にヒューズを結合し、このヒューズとともにユニット化したこと
を特徴とするリレー。
【請求項７】
請求項６に記載のリレーにおいて、
前記ヒューズ接続部は、前記一方のスイッチ接続用回路体の一の端子に形成され、このヒューズ接続部にヒューズの下流側端子を接続させるとともに、前記一の端子を他の端子の伸びる方向とは異なる方向に伸びるように位置を違えて配置したこと
を特徴とするリレー。
【請求項８】
請求項６又は請求項７に記載のリレーを、これの投影面積が最小となる方向を、載置面に対して垂直となる方向に配置して収納したこと
を特徴とする電気接続箱。
【請求項９】
請求項８に記載の電気接続箱において、
リレーと、このリレーの一の端子に形成されたヒューズ接続部に下流側端子が接続されるヒューズと、を少なくとも備えて箱本体を構成し、
この箱本体には、前記リレーに対する収容部と、前記一の端子が挿入される前記ヒューズに対してのヒューズキャビティとを形成したこと
を特徴とする電気接続箱。
【請求項１０】
請求項９に記載の電気接続箱において、
前記リレーの前記一の端子をこのリレーの他の端子の反対側に配置し、前記ヒューズを前記リレーの前記一の端子側に積層するような状態で前記箱本体を構成したこと
を特徴とする電気接続箱。
【請求項１１】
請求項１０に記載の電気接続箱において、
前記箱本体に、前記リレーの前記他の端子を用いてワイヤハーネスに設けられるコネクタに対する接続用のコネクタ接続部を形成したこと
を特徴とする電気接続箱。
【請求項１２】
請求項１１に記載の電気接続箱において、
前記箱本体を、前記コネクタ接続部がロアカバーの底面から所定間隔を有するように前記ロアカバーに取り付けたこと
を特徴とする電気接続箱。
【請求項１３】
請求項１０〜１２のいずれかに記載の電気接続箱において、
前記リレーが配置される並びであって、このリレーに接続される前記ヒューズ同士の間に、前記リレーとの接続のない他のヒューズを接続させるための他のヒューズキャビティを配置、形成したこと
を特徴とする電気接続箱。
【請求項１４】
請求項９〜１３のいずれかに記載の電気接続箱において、少なくとも前記ヒューズの上流側端子と、電力の供給を外部から受ける電力供給部との間を接続するバスバーを更に備えたこと
を特徴とする電気接続箱。
【発明の詳細な説明】
【０００１】
【発明の属する技術分野】
本発明は、複数のリレーを有するリレーユニット、及び、このようなリレーユニットに適用されるリレー、及び、このようなリレーユニットを搭載した電気接続箱に関する。
【０００２】
【従来の技術】
この種の従来の電気接続箱であるリレーボックスが図１６に示されている。図１６において、リレーボックス１２０は、リレーキャビティ１２１、ヒューズキャビティ１２２、ＦＬキャビティ１２３、バスバー１２４を有し、各キャビティ１２１，１２２，１２３にはリレー、ヒューズ、ＦＬの電子部品が収容される。バスバー１２４は、各キャビティ１２１，１２２，１２３間を電気的に接続している。又、各キャビティ１２１，１２２，１２３には電線に圧着された接続端子がそれぞれ挿入され、電線を介してリレーボックス１２０に所望の電子信号の入出力がなされている。以上より、リレーボックス１２０には所望のリレー回路が構成されている。
【０００３】
【発明が解決しようとする課題】
ところで、リレー回路は全車両で一律ではなく、車両仕様によって異なるリレー回路が適用される。しかし、従来のリレーボックス１２０は、回路変更機能を有さず、単一のリレー回路にしか対応することができないため、各車両仕様に対応するリレー回路を内蔵したリレーボックス１２０を多数用意しなければならなかった。
【０００４】
そこで、本発明は、前記した課題を解決すべくなされたものであり、各車両仕様の搭載回路のバリエーションに容易に対応できるリレーユニット、及び、このようなリレーユニットに適用されるリレー、及び、電気接続箱を提供することを目的とする。
【０００５】
【課題を解決するための手段】
請求項１の発明は、リレースイッチが介在される一対のスイッチ接続用回路体とリレーコイルが介在される一対のコイル接続用回路体とを有するリレーを複数設け、この複数のリレーを構成する前記各スイッチ接続用回路体及び前記各コイル接続用回路体の間を切断可能なジョイント部を介してそれぞれ電気的に接続し、この複数のジョイント部の適所を適宜カットして目的の搭載回路を構成したことを特徴とする。
【０００６】
このリレーユニットでは、複数のジョイント部のカット箇所によって異なる回路パターンが種々構成される。又、双方の回路体同士をジョイントしたい場合には、双方の回路体同士を接続するジョイント部をカットしなければ良い。
【０００７】
請求項２の発明は、請求項１記載のリレーユニットであって、複数の前記ジョイント部は、同一の前記リレー内では一方の前記スイッチ接続用回路体と一方の前記コイル接続用回路体との間に介在され、異なる前記リレー間では隣り合う前記リレーの一対の前記スイッチ接続用回路体と一方の前記スイッチ接続用回路体との間に介在されたことを特徴とする。
【０００８】
このリレーユニットでは、請求項１の発明の作用に加え、同一リレー内に配置されたジョイント部をカットすることにより一対のコイル接続用端子を制御端子に使用でき、上記ジョイント部をカットしないことによりスルー回路に使用できる。又、異なるリレー間に介在されたジョイント部をカットすることにより隣り合うリレー同士を独立の回路として使用でき、上記ジョイント部をカットしないことにより隣り合うリレーを混合の回路として利用できる。
【０００９】
請求項３の発明は、請求項１又は請求項２記載のリレーユニットであって、前記スイッチ接続用回路体及び前記コイル接続用回路体は、バスバーで構成されたスイッチ接続用バスバー及びコイル接続用バスバーであることを特徴とする。
【００１０】
このリレーユニットでは、請求項１又は請求項２の発明の作用に加え、搭載回路のバリエーションに対応するのに単一のバスバー成形型を作成すれば良い。又、各回路体が強度的に強い。
【００１１】
請求項４の発明は、請求項３記載のリレーユニットであって、前記各スイッチ接続用バスバー及び前記各コイル接続用バスバーには、前記各バスバの一部でコネクタ接続用のリレー端子が形成されていることを特徴とする。
【００１２】
このリレーユニットでは、請求項４の発明の作用に加え、リレーと別にリレー端子を作成する必要がない。
【００１３】
請求項５の発明は、請求項１〜請求項４記載のリレーユニットを搭載したことを特徴とする電気接続箱である。
【００１４】
この電気接続箱では、請求項１〜請求項４の発明と同様の作用を有する電気接続箱を提供できる。
【００１５】
請求項６に記載の発明にかかるリレーは、請求項１〜請求項４に記載のリレーユニット中のリレーであって、前記一対のスイッチ接続用回路体の一方にヒューズ接続部を一体に形成し、このヒューズ接続部にヒューズを結合し、このヒューズとともにユニット化したことを特徴としている。
【００１６】
この場合、ヒューズ接続部にヒューズが直接接続されるため、リレーとヒューズとの間の電線による接続が不要になり、作業性の向上を図ることができるようになるとともに、ヒューズを本リレーに対して積層状態で配置できるため、その収納スペースをコンパクトにまとめて電気接続箱の小型化を図ることができるようになる。
【００１７】
請求項７に記載の発明は、請求項６に記載のリレーにおいて、前記ヒューズ接続部は、前記一方のスイッチ接続用回路体の一の端子に形成され、このヒューズ接続部にヒューズの下流側端子を接続させるとともに、前記一の端子を他の端子の伸びる方向とは異なる方向に伸びるように位置を違えて配置したことを特徴としている。
【００１８】
この場合、一の端子と他の端子の位置を違えて配置することにより、一の端子へのヒューズ接続部の形成が可能になる。そして、一の端子にヒューズ接続部を形成すれば、そのヒューズ接続部にヒューズの下流側端子を直接接続させることが可能になる。以上により、リレーとヒューズとの間の電線による接続が不要になり、組付け作業性の向上を図ることができるようになる。また、他の端子の位置が仮にリレーの下部側であるとすると、一の端子の位置はリレーの側部または上部側となって、特にその上部側に一の端子が配置されると、ヒューズが本リレーに対して積層されるような状態になり、電気接続箱の小型化を図ることができるようになる。
【００１９】
請求項８に記載の発明にかかる電気接続箱は、請求項６又は請求項７に記載のリレーを、これの投影面積が最小となる方向を、載置面に対して垂直となる方向に配置して収納したことを特徴としている。
【００２０】
この場合、リレーの投影面積が最小となる方向、つまり、ユニット化されたリレーを縦置きとして電気接続箱に収納されるので、この電気接続箱への収納面積を小さくし、ひいては電気接続箱の小型化が図られる。
【００２１】
請求項９に記載の発明は、請求項８に記載の電気接続箱において、リレーと、このリレーの一の端子に形成されたヒューズ接続部に下流側端子が接続されるヒューズと、を少なくとも備えて箱本体を構成し、この箱本体には、前記リレーに対する収容部と、前記一の端子が挿入される前記ヒューズに対してのヒューズキャビティとを形成したことを特徴としている。
【００２２】
この場合、リレーはヒューズと一体化されているため、そのリレーのヒューズ接続部にヒューズの下流側端子を直接接続させるような電気接続箱になる。すなわち、リレーを収容部に収容した状態でヒューズキャビティにヒューズを挿入すると、そのヒューズキャビティに挿入された一の端子とヒューズの下流側端子とが直接接続される電気接続箱になる。以上により、リレーとヒューズとの間の電線により接続が不要になり、作業性の向上を図ることができるようになる。また、リレーの他の端子の位置が仮にリレーの下部側であるとすると、一の端子の位置はリレーの側部または上部側となって、特にその上部側に一の端子が配置されると、ヒューズがリレーに対して積層されるような状態になり、前記の作業性向上に係ることの他に、更に電気接続箱の小型化を図ることができるようになる。
【００２３】
請求項１０に記載の発明は、請求項９に記載の電気接続箱において、前記リレーの前記一の端子をこのリレーの他の端子の反対側に配置し、前記ヒューズを前記リレーの前記一の端子側に積層するような状態で前記箱本体を構成したことを特徴としている。
【００２４】
この場合、リレーの他の端子の位置が仮にリレーの下部側であるとすると、一の端子の位置はリレーの上部側になることから、前記の如く電気接続箱の小型化を図ることができるようになる。
【００２５】
請求項１１に記載の発明は、請求項１０に記載の電気接続箱において、前記箱本体に、前記リレーの前記他の端子を用いてワイヤハーネスに設けられるコネクタに対する接続用のコネクタ接続部を形成したことを特徴としている。
【００２６】
この場合、ワイヤハーネスのコネクタとコネクタ接続が可能になる。これにより、リレーの他の端子を一括して接続することができるようになる。言い換えれば、リレーの他の端子に対応する位置に電線付き端子を１つ１つ配置させるような作業が不要となり、作業性の向上を図ることができるようになる。
【００２７】
請求項１２に記載の発明は、請求項１１に記載の電気接続箱において、前記箱本体を、前記コネクタ接続部がロアカバーの底面から所定間隔を有するように前記ロアカバーに取り付けたことを特徴としている。
【００２８】
この場合、請求項１１の発明のコネクタ接続にかかるスペースの確保と、ワイヤハーネス等の収納性を向上させることが可能になる。また、ロアカバーの底面に予めワイヤハーネスのコネクタを係止させておくことが可能になり、組付けの際にコネクタ接続部を待ち受けることができるようになる。以上により、作業性の向上を図ることができるようになる。
【００２９】
請求項１３に記載の発明は、請求項１０〜１３のいずれかに記載の電気接続箱において、前記リレーが配置される並びであって、このリレーに接続される前記ヒューズ同士の間に、前記リレーとの接続のない他のヒューズを接続させるための他のヒューズキャビティを配置、形成したことを特徴としている。
【００３０】
この場合、リレーとヒューズの大きさの違いによって各リレーに接続されるヒューズ同士の間にスペースが生じることになるが、そのスペースを有効に利用することができるようになる。これにより、電気接続箱の小型化を図ることができるようになる。
【００３１】
請求項１４に記載の発明は、請求項９〜１３のいずれかに記載の電気接続箱において、少なくとも前記ヒューズの上流側端子と、電力の供給を外部から受ける電力供給部との間を接続するバスバーを更に備えたことを特徴としている。
【００３２】
この場合、少なくともヒューズの上流側端子と電力供給部との間を電線によって接続する作業が不要になる。これにより、作業性の向上を図ることができるようになる。
【００３３】
【発明の実施の形態】
以下、本発明の実施形態を図面に基づいて説明する。
【００３４】
図１〜図８は本発明の第１実施形態を示し、図１はリレーユニット１の基本バスバー回路体４及び電源供給バスバー３の構成図、図２は基本バスバー回路体４のジョイント部９ａ〜９ｊの切断前におけるリレーユニット１の回路図である。
【００３５】
図１及び図２に示すように、リレーユニット１は、ユニットケース（図示せず）内に内蔵された４組分のリレー２Ａ〜２Ｄと電源供給バスバー３とを有する。４組分のリレー２Ａ〜２Ｄは、４組分のリレースイッチＳＷ（図２に示す）及びリレーコイルＬ（図２に示す）と基本バスバー回路体４とから構成されている。この基本バスバー回路体４は、リレースイッチＳＷが介在される一対のスイッチ接続用回路体であるスイッチ接続用バスバー５ａ〜５ｄ，６ａ〜６ｄと、リレーコイルＬが介在される一対のコイル接続用回路体であるコイル接続用バスバー７ａ〜７ｄ，８ａ〜８ｄとを４組並設状態で有すると共に、各スイッチ接続用バスバー５ａ〜５ｄ，６ａ〜６ｄ及び各コイル接続用バスバー７ａ〜７ｄ，８ａ〜８ｄの間の適所に介在されたジョイント部９ａ〜９ｊとから一体的に形成されている。つまり、基本バスバー回路体４は単一のバスバー成形型より形成され、各ジョイント部９ａ〜９ｊは、幅狭で切断容易に形成されている。
【００３６】
具体的には、ジョイント部９ａ〜９ｊは、同一のリレー２Ａ〜２Ｄ内では一方のスイッチ接続用バスバー５ａ〜５ｄと一方のコイル接続用バスバー７ａ〜７ｄとの間に介在され、異なるリレー２Ａ〜２Ｄ間では、隣り合うリレー２Ａ〜２Ｄの一対のスイッチ接続用バスバー５ａ〜５ｄ，６ａ〜６ｄと一方のスイッチ接続用バスバー５ａ〜５ｄとの間に介在されている。この複数のジョイント部９ａ〜９ｊの適所を適宜カットすることにより種々の搭載回路を構成でき、これについては下記に詳述する。図２には、明確化のため、各ジョイント部９ａ〜９ｊのカットによって切断される回路部分には当該ジョイント部９ａ〜９ｊに対応する符号９ａ〜９ｊを付してある。
【００３７】
各リレー２Ａ〜２Ｄの一方のスイッチ接続用バスバー５ａ〜５ｄには、上部にヒューズ接続用の下流側ヒューズ接続部１１ａ〜１１ｄが、下部にコネクタ接続用のリレー端子１２ａ，１２ｅ，１２ｉ，１２ｍがそれぞれ一体的に形成されている。下流側ヒューズ接続部１１ａ〜１１ｄはユニットケース（図示せず）のヒューズ装着部（図示せず）内に、リレー端子１２ａ，１２ｅ，１２ｉ，１２ｍはユニットケース（図示せず）のコネクタフード部（図示せず）内にそれぞれ突設されている。つまり、下流側ヒューズ接続部１１ａ〜１１ｄとリレー端子１２ａ，１２ｅ，１２ｉ，１２ｍとは互いに異なる方向に突設されている。
【００３８】
各リレー２Ａ〜２Ｄの他方のスイッチ接続用バスバー６ａ〜６ｄ及び双方のコイル接続用バスバー７ａ〜７ｄ，８ａ〜８ｄには、下部にコネクタ接続用のリレー端子１２ｂ〜１２ｄ，１２ｆ〜１２ｈ，１２ｊ〜１２ｌ，１２ｎ〜１２ｐがそれぞれ一体的に形成されている。各リレー端子１２ｂ〜１２ｄ，１２ｆ〜１２ｈ，１２ｊ〜１２ｌ，１２ｎ〜１２ｐは、上記した一方のスイッチ接続用バスバー１２ａ，１２ｅ，１２ｉ，１２ｍのものと同様に、ユニットケース（図示せず）のコネクタフード部（図示せず）内に突設されている。つまり、全てのリレー端子１２ａ〜１２ｐは、下方のコネクタフード部（図示せず）内に並列状態で突設され、このコネクタフード部（図示せず）に装着されるコネクタ（図示せず）を介して外部に電気的に接続されるようになっている。
【００３９】
前記電源供給バスバー３は、メインバー部３ａと、このメインバー部３ａより上方に突設された４つの上流側ヒューズ接続部１３ａ〜１３ｄと、メインバー部３ａより下方に折曲された電源供給用端子１４とから構成されている。メインバー部３ａは、ユニットケース（図示せず）の内面に配置され、４つの上流側ヒューズ接続部１３ａ〜１３ｄは、ユニットケース（図示せず）の４箇所のヒューズ装着部（図示せず）内にそれぞれ配置されている。４つの上流側ヒューズ接続部１３ａ〜１３ｄは、前記した４つの下流側ヒューズ接続部１１ａ〜１１ｄの対向位置にそれぞれ配置されており、上流側ヒューズ接続部１３ａ〜１３ｄと下流側ヒューズ接続部１１ａ〜１１ｄとにより合計４組の一対のヒューズ接続部１５ａ〜１５ｄが構成されている。そして、各上流側ヒューズ接続部１３ａ〜１３ｄ及び各下流側ヒューズ接続部１１ａ〜１１ｄは、上端から下方に向かって切り込みを有し、一対のヒューズ接続部１５ａ〜１５ｄの各切り込み内にヒューズ１６ａ〜１６ｄを挿入することによってヒューズ１６ａ〜１６ｄを装着できるようになっている。
【００４０】
電源供給用端子１４は、ユニットケース（図示せず）の電源供給用フード部（図示せず）内に突設されている。このコネクタフード部（図示せず）に装着されるコネクタ（図示せず）を介して外部に電気的に接続されるようになっている。つまり、電源供給バスバー３より各ヒューズ１６ａ〜１６ｄを介して４つのリレー２Ａ〜２Ｄに電源供給できるようになっている。
【００４１】
次に、複数のジョイント部９ａ〜９ｊの適所を適宜カットして構成できる対象回路について説明する。図３は対象回路No.１〜No.４の回路図と、その基本バスバー回路体４の切り分け状態及び通電パターンを示す図、図４は対象回路No.５及びNo.６の回路図と、その基本バスバー回路体４の切り分け状態及び通電パターンを示す図、図５は対象回路No.７及びNo.８の回路図と、その基本バスバー回路体４の切り分け状態及び通電パターンを示す図、図６は対象回路No.９の回路図と、その基本バスバー回路体４の切り分け状態及び通電パターンを示す図である。図３〜図６では、明確化のため、カットするジョイント部９ａ〜９ｊが黒塗りで、カットしないジョイント部９ａ〜９ｊはハッチングで示されている。
【００４２】
対象回路No.１は、電源電流がヒューズ１６ａを通って常時通電されるスルー回路である。例えばリレー２Ａを使用するのであれば、電源供給バスバー３より電源供給し、リレー端子１２ａより出力する。この場合には、リレー２Ａに関係する全てのジョイント部９ａ〜９ｃをカットすることにより目的の回路が構成される。
【００４３】
対象回路No.２は、電源電流がヒューズ１６を通らずに、制御信号のオン・オフにより通電されるリレー回路である。例えばリレー２Ａを使用するのであれば、リレー端子１２ａより電源供給し、一対のリレー端子１２ｂ，１２ｃを制御端子としてリレー端子１２ｄより出力する。この場合にも、リレー２Ａに関係する全てのジョイント部９ａ〜９ｃをカットすることにより目的の回路が構成される。
【００４４】
対象回路No.３は、電源電流がヒューズ１６ａを通って、制御信号のオン・オフにより通電されるリレー回路である。例えばリレー２Ａを使用するのであれば、電源供給バスバー３より電源供給し、一対のリレー端子１２ｂ，１２ｃを制御端子としてリレー端子１２ｄより出力する。この場合にも、リレー２Ａに関係する全てのジョイント部９ａ〜９ｃをカットすることにより目的の回路が構成される。
【００４５】
対象回路No.４は、電源電流がヒューズ１６ａを通って常時２つのリレー端子１２ｃ，１２ｄより通電する回路である。例えばリレー２Ａを使用するのであれば、電源供給バスバー３より電源供給し、２つのリレー端子１２ｃ，１２ｄより出力する。この場合には、リレー２Ａに関係するジョイント部９ａ〜９ｃ中のジョイント部９ａをカットせず、ジョイント部９ｂ，９ｃをカットすることにより目的の回路が構成される。
【００４６】
対象回路No.５は、電源電流がヒューズ１６ａを通って常時４つのリレー端子１２ｃ，１２ｄ，１２ｇ，１２ｈより通電する電源回路である。例えばリレー２Ａ，２Ｂを使用するのであれば、電源供給バスバー３より電源供給し、４つのリレー端子１２ｃ，１２ｄ，１２ｇ，１２ｈより出力する。この場合には、リレー２Ａ，２Ｂに関係するジョイント部９ａ〜９ｆ中のジョイント部９ａ，９ｂ，９ｄをカットせず、その以外のジョイント部９ｃ，９ｅ，９ｆをカットすることにより目的の回路が構成される。
【００４７】
対象回路No.６は、電源電流がヒューズ１６ａを通って２つの分岐され、この分岐電流が各制御信号のオン・オフによりそれぞれ通電されるリレー回路である。例えばリレー２Ａ，２Ｂを使用するのであれば、電源供給バスバー３より電源供給し、２対のリレー端子１２ｂ，１２ｃ，１２ｆ，１２ｇを各制御端子として２つのリレー端子１２ｄ，１２ｈより出力する。この場合には、リレー２Ａ，２Ｂに関係するジョイント部９ａ〜９ｆ中のジョイント部９ｂをカットせず、その以外のジョイント部９ａ，９ｃ〜９ｆをカットすることにより目的の回路が構成される。
【００４８】
対象回路No.７は、電源電流がヒューズ１６ａを通って２つの分岐され、この分岐電流が単一の制御信号のオン・オフにより通電されるリレー回路である。例えばリレー２Ａを使用するのであれば、電源供給バスバー３より電源供給し、一対のリレー端子１２ｂ，１２ｃを制御端子として２つのリレー端子１２ａ，１２ｄより出力する。この場合には、リレー２Ａに関係する全てのジョイント部９ａ〜９ｃをカットすることにより目的の回路が構成される。
【００４９】
対象回路No.８は、電源電流がヒューズ１６ｃを通って３つの分岐され、この分岐電流が単一の制御信号のオン・オフにより通電されるリレー回路である。例えばリレー２Ｃ，２Ｄを使用するのであれば、電源供給バスバー３より電源供給し、一対のリレー端子１２ｊ，１２ｋを制御端子として３つのリレー端子１２ｌ，１２ｏ，１２ｐより出力する。この場合には、リレー２Ｃ，２Ｄに関係するジョイント部９ｅ〜９ｊ中のジョイント部９ｉ，９ｊをカットせず、その以外のジョイント部９ｅ〜９ｇをカットすることにより目的の回路が構成される。
【００５０】
対象回路No.９は、電源電流がヒューズ１６ａ〜１６ｄを通らずに、常時２つのリレー端子１２ｃ，１２ｄより通電する回路である。例えばリレー２Ａを使用するのであれば、リレー端子１２ａより電源供給し、２つのリレー端子１２ｃ，１２ｄより出力する。この場合には、リレー２Ａに関係するジョイント部９ａ〜９ｃ中のジョイント部９ａをカットせず、ジョイント部９ｂ，９ｃをカットすることにより目的の回路が構成される。
【００５１】
そして、これら対象回路のいずれか１つにより、又は、２つ以上を任意に組み合わせることにより搭載回路を構成でき、実際の搭載回路の一具体例を説明する。図７はその回路図であり、図８は実際の搭載回路を形成する基本バスバー回路体４の切り分け状態と通電パターンを示す図である。
【００５２】
図７に示すように、この搭載回路は対象回路No.３と対象回路No.２と対象回路No.８との組み合わせにより構成される。対象回路No.３については、リレー２Ａを使用し、３箇所のジョイント部９ａ，９ｂ，９ｃをカットする。そして、電源供給バスバー３よりヒューズ１６ａを介して電源供給し、一対のリレー端子１２ｂ，１２ｃを制御端子とし、リレー端子１２ｄを出力端子とする。対象回路No.２については、リレー２Ｂを使用し、３箇所のジョイント部９ｄ，９ｅ，９ｆをカットする。そして、リレー端子１２ｅより電源供給し、一対のリレー端子１２ｆ，１２ｇを制御端子とし、リレー端子１２ｈを出力端子とする。対象回路No.８については、リレー２Ｃ，２Ｄを使用し、２箇所のジョイント部９ｇ，９ｈをカットする。そして、電源供給バスバー３よりヒューズ１６ｃを介して電源供給し、一対のリレー端子１２ｊ，１２ｋを制御端子とし、３つのリレー端子１２ｌ，１２ｏ，１２ｐを出力端子とする。
【００５３】
以上、第１実施形態のリレーユニット１では、複数のジョイント部９ａ〜９ｊのカット箇所によって異なる回路パターンが種々構成される。従って、単にジョイント部９ａ〜９ｊの適所をカットするだけで搭載回路のバリエーションに容易に対応できる。又、双方の回路体５ａ〜５ｄ，６ａ〜６ｄ，７ａ〜７ｄ，８ａ〜８ｄ同士をジョイントしたい場合には、双方の回路体５ａ〜５ｄ，６ａ〜６ｄ，７ａ〜７ｄ，８ａ〜８ｄ同士を接続するジョイント部９ａ〜９ｊをカットしなければ良い。従って、回路体５ａ〜５ｄ，６ａ〜６ｄ，７ａ〜７ｄ，８ａ〜８ｄ同士のジョイント吸収、ひいてはワイヤーハーネス（図示せず）のジョイント吸収を容易に行うことができる。
【００５４】
又、前記第１実施形態では、複数のジョイント部９ａ〜９ｊは、同一のリレー２Ａ〜２Ｄ内では一方のスイッチ接続用バスバー５ａ〜５ｄと一方のコイル接続用バスバー７ａ〜７ｄとの間に介在され、異なるリレー２Ａ〜２Ｄ間では隣り合うリレー２Ａ〜２Ｄの一対のスイッチ接続用バスバー５ａ〜５ｄ，６ａ〜６ｄと一方のスイッチ接続用バスバー５ａ〜５ｄとの間に介在されているので、同一リレー２Ａ〜２Ｄ内に配置されたジョイント部９ａ，９ｄ，９ｇ，９ｊをカットすることにより一対のコイル接続用端子１２ｂ，１２ｃ，１２ｆ，１２ｇ，１２ｊ，１２ｋ，１２ｎ，１２ｏを制御端子に使用でき、上記ジョイント部９ａ，９ｄ，９ｇ，９ｊをカットしないことによりスルー回路に使用できる。又、異なるリレー２Ａ〜２Ｄ間に介在されたジョイント部９ｂ，９ｃ，９ｅ，９ｆ，９ｈ，９ｉをカットすることにより隣り合うリレー２Ａ〜２Ｄ同士を独立の回路として使用でき、上記ジョイント部９ｂ，９ｃ，９ｅ，９ｆ，９ｈ，９ｉをカットしないことにより隣り合うリレー２Ａ〜２Ｄを混合の回路として利用できる。従って、バリエーションに富んだ回路を構成できる。
【００５５】
又、前記第１実施形態では、スイッチ接続用回路体及びコイル接続用回路体は、バスバーで構成されたスイッチ接続用バスバー５ａ〜５ｄ，６ａ〜６ｄ及びコイル接続用バスバー７ａ〜７ｄ，８ａ〜８ｄであるので、搭載回路のバリエーションに対応するのに単一のバスバー成形型を作成すれば良いため、バスバー成形型費の削減等に寄与する。又、各回路体が強度的に強いため、一体的に端子などを形成可能である。
【００５６】
又、前記第１実施形態では、各スイッチ接続用バスバー５ａ〜５ｄ，６ａ〜６ｄ及び各コイル接続用バスバー７ａ〜７ｄ，８ａ〜８ｄには、各バスバーの一部でコネクタ接続用のリレー端子１２ａ〜１２ｐが形成されているので、リレー２Ａ〜２Ｄと別にリレー端子を作成する必要がないため、リレーユニット１の構成の単純化、コンパクト化等に寄与する。
【００５７】
又、前記第１実施形態では、ユニットケース（図示せず）内に複数のリレー２Ａ〜２Ｄと、この複数のリレー２Ａ〜２Ｄに電源を供給する電源供給バスバー３とを内蔵し、この電源供給バスバー３より各ヒューズ１６ａ〜１６ｄを介して各リレー２Ａ〜２Ｄに電源供給するので、複数のヒューズ１６ａ〜１６ｄが複数のリレー２Ａ〜２Ｄの近傍で共に内蔵されるリレーユニット１を提供できるため、リレーユニット１をコンパクト化できる。又、各ヒューズ１６ａ〜１６ｄへの電源供給は、電源供給バスバー３で行うため、電線による接続が不要となり、組み付け作業性の向上にもなる。
【００５８】
又、前記第１実施形態では、一方のスイッチ接続用バスバー５ａ〜５ｄには下流側ヒューズ接続部１１ａ〜１１ｄと共にリレー端子１２ａ，１２ｅ，１２ｉ，１２ｍをそれぞれ一体的に形成したので、この各リレー端子１２ａ，１２ｅ，１２ｉ，１２ｍを使用してヒューズ１６ａ〜１６ｄを通さずに各リレー２Ａ〜２Ｄに電源供給できる。従って、ヒューズ１６ａ〜１６ｄを装着しない時は、独立したリレー２Ａ〜２Ｄやスルー回路として使用できる。対象回路No.２やNo.９である。
【００５９】
又、前記第１実施形態では、一方のスイッチ接続用バスバー５ａ〜５ｄの下流側ヒューズ接続部１１ａ〜１１ｄとリレー端子１２ａ，１２ｅ，１２ｉ，１２ｍとは、それぞれ異なる方向に突設されているので、下流側ヒューズ接続部１１ａ〜１１ｄとリレー端子１２ａ，１２ｅ，１２ｉ，１２ｍとの突設方向が分散される。従って、ヒューズ装着部とコネクタ装着部とが異なる面に配置され、リレーユニット１の構成の単純化、コンパクト化等に寄与する。尚、前記第１実施形態では、下流側ヒューズ接続部１１ａ〜１１ｄが上方向に、リレー端子１２ａ，１２ｅ，１２ｉ，１２ｍが下方向に突設されているが、双方の端子が同じ方向に突設されなければ良く、下流側ヒューズ接続部１１ａ〜１１ｄが上方向に、リレー端子１２ａ，１２ｅ，１２ｉ，１２ｍが横方向に突設されるようにしても良い。
【００６０】
又、前記第１実施形態では、一方のスイッチ接続用バスバー５ａ〜５ｄより一体的に形成した下流側ヒューズ接続部１１ａ〜１１ｄと、電源供給用バスバー３より一体的に形成した複数の上流側ヒューズ接続部１３ａ〜１３ｄとを対向配置して一対のヒューズ接続部１５ａ〜１５ｄを構成したので、一対のヒューズ接続部１５ａ〜１５ｄを簡単な構造により、且つ、少ない部品点数で作成でき、リレーユニット１の構成の単純化、コンパクト化等に寄与する。
【００６１】
又、前記第１実施形態では、リレーユニット１は４組分のリレー２Ａ〜２Ｄより構成されているが、リレーの数は２つでも３つでも、或いは５つ以上でも良い。
【００６２】
又、前記第１実施形態では、リレーユニット１は４組分のリレー２Ａ〜２Ｄを有し、基本となる対象回路が９通りであるため、９の４乗通りの搭載回路のバリエーションに対応可能である。
【００６３】
図９〜図１３は本発明にかかるリレーおよび電気接続箱の第２実施形態を示し、図９は電気接続箱の平面図、図１０はリレーユニットを正面断面図（ａ）と側断面図（ｂ）と平面図（ｃ）で示す構成図、図１１は電気接続箱の断面図（本発明によるリレーの正面図を含む）、図１２は図１１の電気接続箱の平面図、図１３は図１１のリレーとヒューズの接続部分の拡大図である。尚、本明細書において上下左右とは図１１を基準にしていうものとする。
【００６４】
図９〜図１３は、自動車などの車両に搭載されるリレーおよび電気接続箱の一実施形態を示し、第２実施形態では図９，図１０に示すようにリレー２５にヒューズ接続部５０を介してヒューズ２４を一体に結合してリレーユニット１００を構成し、このリレーユニット１００を電気接続箱に収納するようになっている。このリレーユニット１００は５組分のリレー２５を有し、５組分のリレー２５は、前記第１実施形態と略同様に、５組分のリレースイッチ（図示せず）及びリレーコイル（図示せず）と基本バスバー回路体（図示せず）とから構成されている。この基本バスバー回路体（図示せず）の構成については、組数が異なるのみで前記第１実施形態と同様であるため、省略する。
【００６５】
前記リレーユニット１００の構成および電気接続箱を、図１１〜図１３によって以下詳述する。即ち、電気接続箱の箱本体２１は、合成樹脂製のメインカバー２２と、同じく合成樹脂製のアンダーカバー２３と、メインカバー２２側に収容される複数の既知構成のヒューズ２４と、アンダーカバー２３側に収容される複数のリレー２５と、電源供給用の１対の電源供給バスバー２６等とを備えて構成されている。
【００６６】
また、箱本体２１には、図示省略したバッテリ等から電力が供給される電力供給部２７と、リレー２５およびヒューズ２４に接続される複数のコネクタ接続部２８とが形成されている。
【００６７】
前記メインカバー２２には、前記電力供給部２７のフード部２９を構成する上壁３０および奥壁３１と、前記ヒューズ２４に対する複数のヒューズキャビティ３２と、前記アンダーカバー２３に係止される複数のロック部３３とが形成されている。
【００６８】
そのメインカバー２２に形成された上壁３０は平板状であって、先端部分内側には、電力供給部２７にコネクタ接続される電源供給用のコネクタ３４を係止するためのロック３５が形成されている。また、上壁３０と奥壁３１は、上壁３０の基端部分内側において直交するように配置形成されている。
【００６９】
各ヒューズキャビティ３２は、その先端側からヒューズ２４が下方に向けて挿入されるようになっている。また、各ヒューズキャビティ３２の内部には、端子収容室３６が形成されている。更に、各ヒューズキャビティ３２は、メインカバー２２を上下に貫通するように形成されている。本実施形態のヒューズキャビティ３２は、既知のものと同じに形成されている。
【００７０】
尚、図１１において右から１，３，５番目のヒューズキャビティ３２は、特許請求の範囲に記載した他のヒューズキャビティに相当するものとする。これらはスペースを有効に利用するために配置形成されている（リレー２５が配置される並びであって、そのリレー２５に接続されるヒューズ２４同士の間に配置形成される）。
【００７１】
ロック部３３は可撓性を有しており、ヒューズキャビティ３２が形成される壁３７の周縁から下方に向けて一体に形成されている。
【００７２】
前記アンダーカバー２３には、前記フード部２９を構成するフード本体３８および奥壁３９と、前記リレー２５に対する複数の収容部４０と、その収容部４０間に形成される複数の貫通孔４１と、前記コネクタ接続部２８を構成する複数のフード部４２と、嵌合しあうメインカバー２２のロック部３３を係止する突起状のロック４３とが形成されている。
【００７３】
このようなアンダーカバー２３に形成されたフード本体３８は、コ字状（コネクタ３４の接続方向から見た場合）に形成されている。また、フード本体３８は、メインカバー２２に形成された上壁３０を適宜手段で係止することができるように形成されている。
【００７４】
一方、このようなフード本体３８の基端部分に形成された奥壁３９は、メインカバー２２に形成された奥壁３１とともに前記電源供給バスバー２６を挟み込んで、その電源供給バスバー２６を保持するように形成されている。また、奥壁３９は収容部４０の一部を構成するとともに（電力供給部２７の隣のみ）、後述する基板５４の受けとして機能するように形成されている。
【００７５】
収容部４０は、前記リレー２５の外形に応じて形成されており、上方から下方に向けてリレー２５を完全に収容することができるようになっている。また、収容部４０の底壁には、フード部４２の内側に連通する端子挿通孔４４が形成されている。尚、その端子挿通孔４４と同様に、貫通孔４１もフード部４２の内側に連通するようになっている。
【００７６】
前記ヒューズ２４は、既知構成のものであるので詳細な説明は省略するが、タブ状の上流側端子４５および下流側端子４６と、これらの間に介在する可溶体（図示省略）とを備えて構成されている。
【００７７】
前記リレー２５は、合成樹脂製の図示省略した基板と、その基板を覆う合成樹脂製の箱形の外カバー４７と、これらの内部に設けられる図示省略したリレーコイルと、外カバー４７の上壁から導出される一の端子４８と、前記基板から導出される３つ（２つのみ図示）の他の端子４９とを備えて構成されている。また、本実施形態において、リレー２５の一の端子４８は上方に、他の端子（第１実施形態のリレー端子１２ａ〜１２ｐに相当）４９は下方に向けてそれぞれ真っ直ぐに伸びるように配置されている。
【００７８】
一の端子４８には、その一端側にヒューズ２４の下流側端子４６を接続させるヒューズ接続部５０が形成されている（音叉端子として機能するように形成されている）。また、一の端子４８の他端側には、外カバー４７の内部に位置する接点が形成されている。
【００７９】
一方、他の端子４９は、３つともその一端側がタブ状に形成されており、コネクタ接続部２８を構成するようになっている。
【００８０】
尚、一の端子４８は、外カバー４７の上壁ではなく側壁から導出させてもよいものとする。その場合には、リレー２５の例えば左右方向にヒューズ２４が並ぶようになり、小型化に関して本実施形態の箱本体２１ほどの後述する効果を得ることはないが、後述する作業性の向上は確実に得られるようになる。
【００８１】
前記電源供給バスバー２６は、電力供給部２７を構成するタブ５１と、メインカバー２２の奥壁３１およびアンダーカバー２３の奥壁３９に挟み込まれる第１中間部５２と、リレー２５の前記上壁に対して平行に配置される第２中間部５３とを備えて構成されている。また、電源供給バスバー２６は、その第２中間部５３が合成樹脂製の基板５４に載置して固定されるようになっている。
【００８２】
電源供給バスバー２６のタブ５１は、フード部２９内に突出するように配置されており、そのタブ５１を介して電力が供給されるようになっている。また、第２中間部５３には、ヒューズ２４の上流側端子４５を接続させる複数のヒューズ接続部５５が形成されている。そのヒューズ接続部５５は、リレー２５の一の端子４８に形成されたヒューズ接続部５０と同じ形状に形成されている（ヒューズ接続部５５は図１１および図１３においてヒューズ接続部５０の裏側に位置するため、図１１および図１３ではかっこ書きで符号を付すことにする）。
【００８３】
基板５４は、奥壁３９および収容部４０の各端部に載せられるように配置されており、前述の電源供給バスバー２６と、これとは別の複数のバスバー５６とが固定されている。また、基板５４には、各リレー２５の一の端子４８を挿通させるための複数の貫通孔５７と、バスバー５６に対する複数の貫通孔５８とが形成されている。その貫通孔５８は、アンダーカバー２３の貫通孔４１の位置に一致するように形成されている。
【００８４】
電源供給バスバー２６とは別に基板５４に載置して固定される前記バスバー５６の一端側には、図１１において右から１，３，５番目のヒューズキャビティ３２に挿入されるヒューズ２４の下流側端子４６を接続させるヒューズ接続部５９が形成されている。また、そのバスバー５６の他端部には、基板５４の貫通孔５８とアンダーカバー２３の貫通孔４１とに跨って挿通されるとともに、リレー２５の他の端子４９とともにコネクタ接続部２８を構成する長いタブ６０が形成されている。
【００８５】
次に、前記構成に基づき、本発明の電気接続箱の箱本体２１がどのようにして組み立てられるかを説明する。
【００８６】
まず、第１にアンダーカバー２３の各収容部４０にリレー２５をそれぞれ収容する工程を実施する。すなわち、リレー２５は他の端子４９側から対応する収容部４０内に差し込まれる。そして、リレー２５が完全に収容されると、そのリレー２５の他の端子４９が端子挿通孔４４を介してフード部４２内に突出する。尚、リレー２５の一の端子４８のみが収容部４０から上方へ突出した状態となる。
【００８７】
このような状態から第２に、電源供給バスバー２６および５６を載置して固定した基板５４を各収容部４０の端部に載せる工程を実施する。その基板５４は、リレー２５の一の端子４８を貫通孔５７に挿通させながら、また、バスバー５６のタブ６０をアンダーカバー２３の貫通孔４１に挿通させながら各収容部４０の端部に載せていく。そして、基板５４が各収容部４０の端部に完全に載せられバスバー５６のタブ６０がフード部４２内に突出すると、コネクタ接続部２８が構成される。
【００８８】
続いて第３に、メインカバー２２をアンダーカバー２３に嵌合させる工程を実施する。メインカバー２２のロック部３３がアンダーカバー２３のロック４３に係止されると、電源供給バスバー２６および基板５４が、メインカバー２２とアンダーカバー２３との間に挟まれて保持される。また、リレー２５の一の端子４８のヒューズ接続部５０と電源供給バスバー２６のヒューズ接続部５５、バスバー５６のヒューズ接続部５９と電源供給バスバー２６のヒューズ接続部５５がヒューズキャビティ３２の端子収容室３６内に収容される。
【００８９】
そして、最後に、以上のような状態において、ヒューズ２４を各ヒューズキャビティ３２に挿入し、その上流側端子４５および下流側端子４６をリレー２５の一の端子４８のヒューズ接続部５０と電源供給バスバー２６のヒューズ接続部５５、バスバー５６のヒューズ接続部５９と電源供給バスバー２６のヒューズ接続部５５に接続させると、一連の組み立てが完了する。
【００９０】
なお、リレーを接続しない場合には、パターン化したバスバーの一部を、別部品のジョイント端子に替えて、ジャンクションコネクタとして使用することもできる。
【００９１】
以上説明したように、第２本実施形態の電気接続箱にあっては、図１０に示すように、ヒューズ２４をヒューズ接続部５０を介して一体に結合し、このヒューズ２４とともにリレー２５をユニット化することによりリレーユニット１００を構成したので、リレー２５とヒューズ２４との間の電線による接続が不要になり、作業性の向上を図ることができるようになる。また、ヒューズ２４を本リレー２５に対して積層状態で配置できるようになり、それぞれの収納スペースをコンパクトにまとめて電気接続箱の小型化を図ることができるようになる。
【００９２】
また、第２本実施形態のリレー２５によれば、図１１〜図１３に示すように、一の端子４８と他の端子４９の位置を違えて配置するとともに、一の端子４８にヒューズ接続部５０を形成していることから、ヒューズ２４の下流側端子４６を直接接続させることができる。従って、リレー２５とヒューズ２４との間の従来のような電線による接続が不要となり、ヒューズ２４をリレー２５の上側に容易に積層させることができるようになり、組付け作業性を向上させることができる。
【００９３】
更に、他の端子４９の位置が仮にリレー２５の下部側であるとすると、一の端子４８の位置はリレー２５の側部または上部側となって、特にその上部側に一の端子４８が配置されると、ヒューズ２４が本リレー２５に対して積層されるような状態になり、電気接続箱の小型化を図ることができるようになる。
【００９４】
次に、本発明の電気接続箱によれば、前記効果を奏するリレー２５を備えていることから、そのリレー２５のヒューズ接続部５０にヒューズ２４の下流側端子４６を直接に接続させるような電気接続箱にすることができる。すなわち、リレー２５を収容部４０に収容した状態でヒューズキャビティ３２にヒューズ２４を挿入すると、そのヒューズキャビティ３２に挿入されたリレー２５の一の端子４８とヒューズ２４の下流側端子４６とが直接に接続しあうような電気接続箱にすることができる。従って、リレー２５とヒューズ２４との間の従来ような電線による接続が不要となり作業性を向上させることができる。
【００９５】
また、本発明の電気接続箱によれば、前記効果を奏するリレー２５を備えていることから、ヒューズ２４をリレー２５に積層させた状態の電気接続箱にすることができる。従って、このような構成により電気接続箱の小型化を図ることができる。
【００９６】
更に、本発明の電気接続箱によれば、コネクタ接続部２８を有していることから、リレー２５の他の端子４９にワイヤーハーネスのコネクタ（図示省略）を一括してコネクタ接続させるような電気接続箱にすることができる。従って、リレー２５の他の端子４９に対応する位置に電線付き端子を１つ１つ配置させるような面倒な作業が不要となり、作業性を向上させることができる（コネクタ接続部２８を形成しない場合にはこの限りでないものとする）。
【００９７】
更にまた、本発明の電気接続箱によれば、電源供給バスバー２６を有していることから、ヒューズ２４の上流側端子４５と電力供給部２７との間を接続することができる。従って、前記の間を電線によっていちいち接続する必要性が無くなり、作業性を向上させることができる。
【００９８】
図１４は第３実施形態を示す電気接続箱で、前記第２実施形態と同一構成部分に同一符号を付して重複する説明を省略して述べる。この第３実施形態ではリレーユニット１００を、これの投影面積が最小となる方向を、電気接続箱の載置面１１０に対して垂直となる方向に配置して収納するようになっている。
【００９９】
即ち、リレー２５とヒューズ２４とを一体化したリレーユニット１００の寸法は、図１０（ａ）に示す長さ方向のａ寸法と、図１０（ｂ）に示す高さ方向のｂ寸法および幅方向のｃ寸法とをそれぞれ比較すると、ａ＞ｂ＞ｃとなっている。
【０１００】
従って、リレーユニット１００の投影面積が最小となるのは、縦方向（ｂ寸法）と幅方向（ｃ寸法）で囲まれる側面方向であり、図１４はこの側面方向を載置面１１０に対向させて収納した状態の平面図として示してある。つまり、このようにリレーユニット１００の側面方向が載置面１１０に対向されることにより、リレーユニット１００の長さ方向（ａ寸法）は載置面１１０に対して垂直となり、このリレーユニット１００は縦置きとして電気接続箱内に収納されることになる。
【０１０１】
このように、この第３実施形態では、リレーユニット１００が縦置きとして電気接続箱に収納されるため、図１４に示すように、電気接続箱への収納面積を小さくし、ひいては電気接続箱の小型化が図られる。このことによって、この実施形態の電気接続箱は、その平面形状が図９では正矩形状であったが、リレーユニット１００が縦置きされることにより、図１４に示すように、Ｐ部分に空きスペースを作り出すことができ、この空きスペースに他の電子部品や回路を配置できるようになって、電気接続箱の全体的な平面面積を小さくすることができる。このことは、電気接続箱を狭いエンジンルーム内やダッシュボード下に取り付ける際に、そのレイアウトを容易にすることができる。
【０１０２】
図１５は第４実施形態を示す断面図で、前記実施形態と同一構成部分に同一符号を付して重複する説明を省略して述べる。この第４実施形態の電気接続箱は、箱本体６１とロアカバー６２とを備えており、箱本体６１に形成されたコネクタ接続部６３がロアカバー６２の底面６４から所定の間隔を有するようにこれらが取り付けられている。尚、箱本体６１とロアカバー６２はロックなどの適宜固定手段で固定されるものとする。
【０１０３】
前記構成についてもう少し詳しく説明すると、前記箱本体６１は、メインカバー６５と前記ヒューズ２４と前記リレー２５と前記電源供給バスバー２６とを備えている。また、そのメインカバー６５には、フード部６６と収容部６７とヒューズキャビティ６８とがロアカバー６２の底面６４側から順に形成されている。そして、収容部６７には、スリット６９が形成されており、リレー２５に形成されたロック７０がそのリレー２５を収容した際に係止され、リレー２５の抜けが防止されるようになっている。
【０１０４】
尚、前記ヒューズ２４と前記リレー２５と前記バスバー２６との電気的接続に関しては、前記実施形態と同じであるものとする。従って、その説明は省略する。
【０１０５】
前記構成において、リレー２５が収容部６７に収容されるとそのリレー２５の他の端子４９がフード部６６内に突出し、これによりコネクタ接続部６３が形成される。そして、そのコネクタ接続部６３にはコネクタ７１がコネクタ接続される。
【０１０６】
コネクタ接続部６３は、ロアカバー６２の底面６４から所定の間隔を有して配置されるようになることから、ワイヤハーネス７２に設けられたコネクタ７１のコネクタ接続に係るスペースの確保と、ワイヤハーネス７２等の収納性を向上させることができる。従って、これにより作業性を向上させることができる（その他の効果は前記実施形態の効果と同様である）。
【０１０７】
尚、ロアカバー６２の底面６４に予めコネクタ７１を係止させておけば、組付けの際にコネクタ接続部６３を待ち受けることができ、この場合においても作業性を向上させることができる。
【０１０８】
その他、本発明は発明の主旨を変更しない範囲で種々変更実施可能なことは勿論である。すなわち、一の端子４８にヒューズ接続部５０を形成せずにタブ状のままとし、既知構成の雄雌中継端子を介してヒューズ２４の下流側端子４６と間接的に接続させることも可能である。その場合、本発明のリレーを以下のように特徴付けても良いものとする。
【０１０９】
（１）ヒューズの下流側端子に対応する一の端子を他の端子の伸びる方向とは異なる方向に伸びるように位置を違えて配置したこと
を特徴とするリレー。
【０１１０】
（２）前記（１）に記載のリレーにおいて、
前記一の端子に前記ヒューズの前記下流側端子を直接に接続させるヒューズ接続部を形成したこと
を特徴とするリレー。
【０１１１】
【発明の効果】
以上説明したように、請求項１の発明によれば、リレースイッチが介在される一対のスイッチ接続用回路体とリレーコイルが介在される一対のコイル接続用回路体とを有するリレーを複数設け、各スイッチ接続用回路体及び各コイル接続用回路体の間を切断可能なジョイント部を介してそれぞれ電気的に接続し、この複数のジョイント部の適所を適宜カットして目的の搭載回路を構成したので、複数のジョイント部のカット箇所によって異なる回路パターンが種々構成されるため、単にジョイント部の適所をカットするだけで搭載回路のバリエーションに容易に対応できる。又、双方の回路体同士をジョイントしたい場合には、双方の回路体同士を接続するジョイント部をカットしなければ良いため、回路体同士のジョイント吸収、ひいてはワイヤーハーネスのジョイント吸収を容易に行うことができる。
【０１１２】
請求項２の発明によれば、請求項１記載のリレーユニットであって、複数のジョイント部は、同一のリレー内では一方のスイッチ接続用回路体と一方のコイル接続用回路体との間に介在され、異なるリレー間では隣り合うリレーの一対のスイッチ接続用回路体と一方のスイッチ接続用回路体との間に介在されているので、請求項１の発明の効果に加え、同一リレー内に配置されたジョイント部をカットすることにより一対のコイル接続用端子を制御端子に使用でき、上記ジョイント部をカットしないことによりスルー回路に使用できる。又、異なるリレー間に介在されたジョイント部をカットすることにより隣り合うリレー同士を独立の回路として使用でき、上記ジョイント部をカットしないことにより隣り合うリレーを混合の回路として利用できる。従って、バリエーションに富んだ回路を構成できる。
【０１１３】
請求項３の発明によれば、請求項１又は請求項２記載のリレーユニットであって、スイッチ接続用回路体及びコイル接続用回路体は、バスバーで構成されたスイッチ接続用バスバー及びコイル接続用バスバーであるので、請求項１又は請求項２の発明の効果に加え、搭載回路のバリエーションに対応するのに単一のバスバー成形型を作成すれば良いため、バスバー成形型費の削減等に寄与する。又、各回路体が強度的に強いため、一体的に端子などを形成可能である。
【０１１４】
請求項４の発明によれば、請求項３記載のリレーユニットであって、各スイッチ接続用バスバー及び各コイル接続用バスバーには、各バスバーの一部でコネクタ接続用のリレー端子が形成されているので、請求項４の発明の効果に加え、リレーと別にリレー端子を作成する必要がないため、構成の単純化、コンパクト化等に寄与する。
【０１１５】
請求項５の発明によれば、請求項１〜請求項４記載のリレーユニットを搭載したことを特徴とする電気接続箱であるので、請求項１〜請求項４の発明と同様の作用を有する電気接続箱を提供できる。
【０１１６】
請求項６に記載の発明によれば、ヒューズをヒューズ接続部を介して一体に結合し、このヒューズとともにリレーをユニット化したので、リレーとヒューズとの間の電線による接続が不要になり、作業性の向上を図ることができるようになるとともに、ヒューズを本リレーに対して積層状態で配置できるため、その収納スペースを小さくして電気接続箱の小型化を図ることができるという効果を奏する。
【０１１７】
請求項７に記載の発明によれば、一の端子と他の端子の位置を違えて配置するとともに、一の端子にヒューズ接続部を形成していることから、ヒューズの下流側端子を直接に接続させることができるようになり、リレーとヒューズとの間の電線による接続が不要となり、また、本リレーに対してヒューズを無理なく積層できるようになり、組付け作業性を向上させることができるという効果を奏する。
【０１１８】
請求項８に記載の発明によれば、ヒューズとユニット化したリレーを、これの投影面積が最小となる方向を、載置面に対して垂直となる方向、つまり、縦置きとして収納したので、この電気接続箱への収納面積を小さくし、ひいては電気接続箱の小型化を図ることができるという効果を奏する。
【０１１９】
請求項９に記載の発明によれば、リレーはヒューズと一体化されているため、そのリレーのヒューズ接続部にヒューズの下流側端子を直接接続させるような電気接続箱にすることができる。すなわち、リレーを収容部に収容した状態でヒューズキャビティにヒューズを挿入すると、そのヒューズキャビティに挿入された一の端子とヒューズの下流側端子とが直接接続される電気接続箱とすることができる。従って、リレーとヒューズとの間の電線により接続が不要になり、組付け作業性の向上を図ることができるようになるという効果を奏する。また、請求項２に記載のリレーを備えることにより、ヒューズをリレーに積層させた状態に箱本体を構成することが可能になることから、その場合において、電気接続箱の小型化を図ることができるという効果を奏する。
【０１２０】
請求項１０に記載の発明は、前記リレーの前記一の端子をこのリレーの他の端子の反対側に配置し、前記ヒューズを前記リレーの前記一の端子側に積層するような状態で前記箱本体を構成したので、リレーの他の端子の位置をリレーの下部側に配置できるようになるため、一の端子の位置はリレーの上部側になることから、前記の如く電気接続箱の小型化を図ることができるという効果を奏する。
【０１２１】
請求項１１に記載の発明によれば、リレーの他の端子にワイヤハーネスのコネクタを一括してコネクタ接続することができる。従って、リレーの他の端子に対応する位置に電線付き端子を１つ１つ配置させるような作業が不要となり、作業性を向上させることができるという効果を奏する。
【０１２２】
請求項１２に記載の発明によれば、ワイヤハーネスに設けられるコネクタのコネクタ接続に係るスペースの確保と、ワイヤハーネス等の収納性を向上させることができる。従って、これにより作業性の向上を図ることができるという効果を奏する。また、ロアカバーの底面に予めワイヤハーネスのコネクタを係止させておけば、組付けの際にコネクタ接続部を待ち受けることができる。従って、この場合においても作業性を向上させることができるという効果を奏する。
【０１２３】
請求項１３に記載の発明によれば、リレーとヒューズの大きさの違いによって各リレーに接続されるヒューズ同士の間に生じるスペースを有効に利用することができる。従って、これにより電気接続箱の小型化を図ることができるという効果を奏する。
【０１２４】
請求項１４に記載の発明によれば、少なくともヒューズの上流側端子と電力供給部との間をバスバーによって接続することができる。従って、前記の間を電線によっていちいち接続する必要性が無くなり、作業性を向上させることができるという効果を奏する。
【図面の簡単な説明】
【図１】本発明の第１実施形態を示し、リレーユニットの基本バスバー回路体及び電源供給バスバーの構成図である。
【図２】本発明の第１実施形態を示し、基本バスバー回路体のジョイント部の切断前におけるリレーユニットの回路図である。
【図３】本発明の第１実施形態を示し、基本バスバー回路体のジョイント部のカットにより構成できる対象回路No.１〜No.４の回路図と、その基本バスバー回路体の切り分け状態及び通電パターンを示す図である。
【図４】本発明の第１実施形態を示し、基本バスバー回路体のジョイント部を切断することにより構成できる対象回路のNo.５及びNo.６の回路図と、その基本バスバー回路体の切り分け状態及び通電パターンを示す図である。
【図５】本発明の第１実施形態を示し、基本バスバー回路体のジョイント部を切断することにより構成できる対象回路のNo.７及びNo.８の回路図と、その基本バスバー回路体の切り分け状態及び通電パターンを示す図である。
【図６】本発明の第１実施形態を示し、基本バスバー回路体のジョイント部を切断することにより構成できる対象回路のNo.９の回路図と、その基本バスバー回路体の切り分け状態及び通電パターンを示す図である。
【図７】本発明の第１実施形態を示し、実際の搭載回路の一具体例を示す回路図である。
【図８】本発明の第１実施形態を示し、実際の搭載回路を形成する基本バスバー回路体の切り分け状態と通電パターンを示す図である。
【図９】本発明にかかる電気接続箱の第２実施形態を示す平面図である。
【図１０】本発明にかかるユニット化したリレーの第２実施形態を正面断面図（ａ）と側断面図（ｂ）と平面図（ｃ）とで示す構成図である。
【図１１】本発明にかかる電気接続箱の第２実施形態を示す断面図（本発明によるリレーの正面図を含む）である。
【図１２】図１１の電気接続箱の平面図である。
【図１３】図１１のリレーとヒューズの接続部分の拡大図である。
【図１４】本発明にかかる電気接続箱の第３実施形態を示す平面図である。
【図１５】本発明にかかる電気接続箱の第４実施形態を示す断面図である。
【図１６】従来例のリレーボックスの平面図である。
【符号の説明】
１  リレーユニット
２Ａ〜２Ｄ  リレー
３  電源供給バスバー
４  基本バスバー回路体
５ａ〜５ｄ  一方のスイッチ接続用バスバー（一方のスイッチ接続用回路体）６ａ〜６ｄ  他方のスイッチ接続用バスバー（他方のスイッチ接続用回路体）
７ａ〜７ｄ  一方のコイル接続用バスバー（一方のコイル接続用回路体）
８ａ〜７ｄ  他方のコイル接続用バスバー（他方のコイル接続用回路体）
９ａ〜９ｊ  ジョイント部
１１ａ〜１１ｄ  下流側ヒューズ接続部
１２ａ〜１２ｐ  リレー端子
１３ａ〜１３ｄ  上流側ヒューズ接続部
１４  電源供給用端子
１５ａ〜１５ｄ  一対のヒューズ接続部
１６ａ〜１６ｄ  ヒューズ
ＳＷ  リレースイッチ
Ｌ  リレーコイル
２１  箱本体
２２  メインカバー
２３  アンダーカバー
２４  ヒューズ
２５  リレー
２６  電源供給バスバー
２７  電力供給部
２８  コネクタ接続部
２９  フード部
３２  ヒューズキャビティ
４０  収容部
４５  上流側端子
４６  下流側端子
４８  一の端子
４９  他の端子（リレー端子）
５０  ヒューズ接続部
５４  基板
５６  バスバー
６１  箱本体
６２  ロアカバー
６３  コネクタ接続部
６４  底面
６７  収容部
６８  ヒューズキャビティ
７１  コネクタ
１００  リレーユニット
１１０  載置面
【図１】
0003679362.tif 000002
【図２】
0003679362.tif 000003
【図３】
0003679362.tif 000004
【図４】
0003679362.tif 000005
【図５】
0003679362.tif 000006
【図６】
0003679362.tif 000007
【図７】
0003679362.tif 000008
【図８】
0003679362.tif 000009
【図９】
0003679362.tif 000010
【図１０】
0003679362.tif 000011
【図１１】
0003679362.tif 000012
【図１２】
0003679362.tif 000013
【図１３】
0003679362.tif 000014
【図１４】
0003679362.tif 000015
【図１５】
0003679362.tif 000016
【図１６】
0003679362.tif 000017